(57)【特許請求の範囲】
【請求項１】
映像表示可能な映像表示領域を持つ第１の表示パネルと、
前記第１の表示パネルの背面に配置され、透明な部材で形成される導光板と、
前記導光板の側面の互いに異なる位置と対向するように配置される複数の光源と、
前記導光板の背面側に配置され、前記導光板及び前記第１の表示パネルを通して視認可能な映像を表示する第２の表示パネルと、
前記の複数の光源のそれぞれの点灯及び消灯と、前記第１の表示パネルに表示する第１の映像及び前記第２の表示パネルに表示する第２の映像を制御する制御部と、
を有し、
前記導光板は、
前記第１の表示パネルと対向する出射面と、
前記第２の表示パネルと対向する拡散面と、
前記複数の光源の何れかに対応する互いに異なる前記拡散面の複数の部分領域のそれぞれについて、当該部分領域に対応する前記光源から発して前記導光板内に入射した光により前記第１の表示パネルの前記映像表示領域のうちの当該部分領域に対応する領域が照明されるように、当該部分領域に配列された複数のプリズムと、
を有し、
前記制御部は、時間経過に応じて、前記複数の光源のうちの点灯する光源に対応し、かつ、前記複数の部分領域のうちの互いに隣接する部分領域の集合の何れか一方の端部に隣接する所定数の部分領域のそれぞれに対応する光源を点灯させるとともに前記部分領域の集合の他方の端部に位置する前記所定数の部分領域のそれぞれに対応する光源を消灯させることで、時間経過に応じて前記部分領域の集合の位置を変化させ、かつ、前記映像表示領域のうち、前記部分領域の集合により照明される第１の範囲を含み、かつ、当該第１の範囲よりも広い第２の範囲を不透明にするよう前記第１の表示パネルを制御する
表示装置。
【請求項２】
前記複数の光源の全てが点灯することにより、前記第１の表示パネルの前記映像表示領域全体が前記複数の光源からの光により照明されるように前記複数の部分領域が設定される、請求項１に記載の表示装置。
【請求項３】
遊技機本体と、
前記遊技機本体の遊技者と対向する側の面に設けられた請求項１または２に記載の表示装置と、
を有する遊技機。
【発明の詳細な説明】
【技術分野】
【０００１】
本発明は、複数の映像を重畳して表示可能な表示装置、及びそのような表示装置を有する遊技機に関する。
【背景技術】
【０００２】
従来より、演出効果を高めるために、層状に形成された複数の表示領域を持ち、その複数の表示領域の何れかに表示された文字、パターンまたは模様を切り替えて表示可能な表示装置が提案されている（例えば、特許文献１を参照）。
【０００３】
例えば、特許文献１に開示された装飾表示装置は、光を拡散する模様を導光板に付した第１表示プレート及び第２表示プレートと、第１表示プレート及び第２表示プレートを着脱可能に支持する受け部材と、受け部材に装着された第１表示プレートの端面に光を照射する第１光源部及び第２表示プレートの端面に光を照射する第２光源部と、第１光源部及び第２光源部の点灯パターンを制御する制御部とを有する。そして第１表示プレートは第２表示プレートの前面側に位置し、第１表示プレート及び第２表示プレートの一部または全部が重なり合って所定の模様が形成される。
【先行技術文献】
【特許文献】
【０００４】
【特許文献１】特開２００７−９７７９９号公報
【発明の概要】
【発明が解決しようとする課題】
【０００５】
しかしながら、特許文献１に開示された装飾表示装置では、二つの表示プレートに設けられたパターンの位置は予め決まっているので、パターン同士が重なる範囲を動的に変更することはできない。そのため、複数の映像が重なる領域を動的に変更可能な表示装置が求められている。
【０００６】
そこで、本発明は、複数の映像が重なる領域を動的に変更可能な表示装置を提供することを目的とする。
【課題を解決するための手段】
【０００７】
本発明の一つの形態として、表示装置が提供される。この表示装置は、映像表示可能な映像表示領域を持つ第１の表示パネルと、第１の表示パネルの背面に配置され、透明な部材で形成される導光板と、導光板の側面の互いに異なる位置と対向するように配置される複数の光源と、導光板の背面側に配置され、導光板及び第１の表示パネルを通して視認可能な映像を表示する第２の表示パネルと、複数の光源のそれぞれの点灯及び消灯と、第１の表示パネルに表示する第１の映像及び第２の表示パネルに表示する第２の映像を制御する制御部とを有する。そして導光板は、第１の表示パネルと対向する出射面と、第２の表示パネルと対向する拡散面と、複数の光源の何れかに対応する互いに異なる拡散面の複数の部分領域のそれぞれについて、その部分領域に対応する光源から発して導光板内に入射した光により第１の表示パネルの映像表示領域のうちのその部分領域に対応する領域が照明されるように、その部分領域に配列された複数のプリズムとを有する。
【０００８】
この表示装置において、複数の光源の全てが点灯することにより、第１の表示パネルの映像表示領域全体が複数の光源からの光により照明されるように複数の部分領域が設定されることが好ましい。
【０００９】
本発明の他の形態によれば、遊技機が提供される。この遊技機は、遊技機本体と、遊技機本体の遊技者と対向する側の面に設けられた表示装置とを有する。そして表示装置は、上記の何れかの表示装置である。
【発明の効果】
【００１０】
本発明に係る表示装置は、複数の映像が重なる領域を動的に変更することができるという効果を奏する。
【図面の簡単な説明】
【００１１】
【図１】本発明の一つの実施形態に係る表示装置の概略構成図である。
【図２】導光板の概略正面図である。
【図３】図２の矢印ＡＡ’で示される線における、導光板の概略側面断面図である。
【図４】（ａ）及び（ｂ）は、それぞれ、第１の液晶パネル及び第２の液晶パネルの映像の表示の有無と各光源の点灯／消灯の組み合わせと観察者が視認できる表示内容との関係の一例を示す図である。
【図５】変形例による、導光板と各光源の配置を示す、導光板の概略正面図である。
【図６】他の変形例による、導光板と各光源の配置を示す、導光板の概略正面図である。
【図７】（ａ）〜（ｄ）は、この変形例による、点灯される光源と、第１の液晶パネルが照明される範囲の関係を示す図である。
【図８】上記の実施形態または変形例による表示装置を有する弾球遊技機を遊技者側から見た、その弾球遊技機の概略斜視図である。
【発明を実施するための形態】
【００１２】
以下、本発明の実施形態による表示装置を、図を参照しつつ説明する。この表示装置は、層状に配置された、映像を表示可能な二つの表示パネルを有する。そしてその二つの表示パネルの間に、複数の光源のうちの点灯する光源に応じて正面側の表示パネルの照明される領域を異ならせる導光板を有することで、二つの表示パネルのそれぞれに表示された映像が重なって見える領域と、正面側の表示パネルに表示された映像が強調される領域とを可変にできる。
なお、以下では、説明の便宜上、表示装置のうちの観察者と対向する側を正面とし、その反対側を背面とする。
【００１３】
図１は、本発明の一つの実施形態に係る表示装置の概略構成図である。表示装置１は、第１の液晶パネル２と、導光板３と、４個の光源４−１〜４−４と、第２の液晶パネル５と、制御部６とを有する。そして正面側から背面側へ向けて、第１の液晶パネル２、導光板３、第２の液晶パネル５の順に配置される。また、各光源４−１〜４−４は、それぞれ、導光板３の互いに異なる側壁に設けられた入射面と対向するように配置される。
【００１４】
第１の液晶パネル２は、表示パネルの一例であり、映像を表示可能な表示領域を有し、制御部６からの映像信号に応じた映像をその表示領域に表示する。例えば、第１の液晶パネル２は、液晶分子が封入された液晶層と、液晶層を挟んで対向するように配置される、ＩＴＯなどで形成された２枚の透明電極と、液晶層及び透明電極を挟んで対向するように配置される、ガラスまたは透明樹脂といった透明な２枚の透明基板と、液晶層、透明電極及び透明基板を挟んで対向するように配置される２枚の偏光板を有する。さらに、液晶層と透明電極の間に、液晶分子の配向方向を規定するための配向膜が形成されてもよい。また透明電極のうちの一方は、映像信号に応じて画素単位で印加する電圧を調整可能なように、マトリクス状に形成される。さらに、第１の液晶パネル２がカラーの映像を表示できるようにするために、一方の透明電極と透明基板との間に、画素単位の所定のパターンで配置されたカラーフィルタが設けられてもよい。
【００１５】
２枚の配向膜は、例えば、液晶層内の液晶分子を所定方向に配向させる。例えば、液晶層に含まれる液晶分子がツイストネマティック型に配列される場合、２枚の配向膜は、配向方向が互いに直交するように配置される。また、２枚の偏光板は、それぞれ、特定方向の偏光面を持つ偏光成分を透過させる素子であり、例えば、液晶パネル２がノーマリー・ホワイト・モードで動作するように、その透過軸が互いに直交するように配置される。この場合、液晶層を挟む２枚の透明電極間に電場が印加されなければ、すなわち、映像信号が入力されなければ、背面側に配置された偏光板を透過した光の偏光方向は、液晶層にて90°回転するので、その光は、正面側に配置された偏光板を透過できる。そのため、第１の液晶パネル２は透明となる。一方、液晶層を挟む２枚の透明電極間に、映像信号に応じた電場が印加されると、液晶層内の液晶分子の向きが電場の方向と平行な方向に近づくようになるので、電場の強度に応じて液晶層を透過する光の偏光面の回転角は減少する。そのため、映像信号による電圧が高くなるほど、すなわち、表示する映像が白に近いほど、背面側に配置された偏光板を透過した光のうち、正面側に配置された偏光板を透過できる光の量が減少するので、第１の液晶パネル２は不透明に近づく。
【００１６】
なお、各偏光板は、第１の液晶パネル２がノーマリー・ブラック・モードで動作するように、その透過軸が互いに平行となるように配置されてもよい。この場合には、液晶層を挟む２枚の透明電極間に電場が印加されると、第１の液晶パネル２は透明となり、逆に、液晶層を挟む２枚の透明電極間に電場が印加されなければ、第１の液晶パネル２は不透明となる。
【００１７】
また、第１の液晶パネル２は、上記の液晶パネルに限られず、制御部６からの映像信号に応じた映像を表示可能であり、かつ、印加される電圧に応じて透明度が変化する表示パネルであればよい。
【００１８】
導光板３は、各光源４−１〜４−４からの光で第１の液晶パネル２をその背面側から照明する。さらに、導光板３は、導光板３の背面側に配置された第２の液晶パネル５により表示された映像に応じた光を液晶パネル２側へ透過させる。そのために、導光板３は、第１の液晶パネル２の表示領域よりも大きい面積を持つシート状の部材であり、第１の液晶パネル２の背面と対向するように配置される。また導光板３は、例えば、ポリメチルメタクリレート（ＰＭＭＡ）、ポリカーボネート、シクロオレフィンポリマーといった、可視光に対して透明な樹脂を成型することで形成される。
【００１９】
図２は、導光板３の概略正面図である。また図３は、図２の矢印ＡＡ’で示される線における、導光板３の概略側面断面図である。図２に示されるように、導光板３の各側壁は、光源４−１〜４−４の何れかと対向する入射面３ａとして形成される。なお、入射面３ａは、光源４−１〜４−４から入射する光の指向性を高めるようコリメートレンズとして動作するように、対向して配置された光源へ向けて凸面状に形成されてもよい。
【００２０】
導光板３の背面側に位置する拡散面３ｂのうち、正面から見て第１の液晶パネル２の表示領域と重なる領域は、水平方向及び垂直方向のそれぞれについて２分割された部分領域３１〜３４に分割される。各部分領域には、それぞれ、光源４−１〜４−４のうちのその部分領域と対応する光源に対向する反射面を有する複数のプリズムが所定のピッチで格子状に配置されている。なお、複数のプリズムは、例えば、千鳥足状に配置されてもよい。各プリズムは、光源から発して入射面３ａから導光板３内に入射した光により、そのプリズムが配置された部分領域に対応する第１の液晶パネル２の表示領域中の部分領域が照明されるように、その光を反射して、拡散面３ｂの反対側に位置し、かつ、第１の液晶パネル２の背面と対向する出射面３ｃに対して略垂直に出射させる。
【００２１】
このうち、正面から見て左上側に位置する部分領域３１に配置される複数のプリズム３５は、光源４−１から発して入射面３ａから導光板３内に入射した光により、第１の液晶パネル２の表示領域のうちの左上側の部分領域が照明されるように、その光を反射する。また、正面から見て左下側に位置する部分領域３２に配置される複数のプリズム３６は、光源４−２から発して入射面３ａから導光板３内に入射した光により、第１の液晶パネル２の表示領域のうちの左下側の部分領域が照明されるように、その光を反射する。同様に、正面から見て右上側に位置する部分領域３３に配置される複数のプリズム３７は、光源４−３から発して入射面３ａから導光板３内に入射した光により、第１の液晶パネル２の表示領域のうちの右上側の部分領域が照明されるように、その光を反射する。そして正面から見て右下側に位置する部分領域３４に配置される複数のプリズム３８は、光源４−４から発して入射面３ａから導光板３内に入射した光により、第１の液晶パネル２の表示領域のうちの右下側の部分領域が照明されるように、その光を反射する。
【００２２】
なお、図２及び図３において、図の見易さの向上のために、プリズム３５〜３８のサイズ及び導光板３の厚さは誇張されている点に留意されたい。
【００２３】
プリズム３５〜３８のそれぞれは、例えば、拡散面３ｂにおいて所定の長さを持つ略三角形状の溝として形成される。そしてプリズム３５〜３８のそれぞれの反射面は、拡散面３ｂに対して所定の角度をなすように形成される。所定の角度は、導光板３へ入射した光源からの光を全反射させて、出射面３ｃへ向ける角度、例えば、拡散面３ｂに対して４０°〜５０°をなすように設定される。また所定の長さは、例えば、100μm〜数mm程度に設定される。
【００２４】
さらに、拡散面３ｂの面積に占める、プリズム３５〜３８が形成された領域の面積の比である配置密度は、液晶パネル２が透明状態となり、かつ、各光源４−１〜４−４が消灯しているときに、観察者が、導光板３の背後にある第２の液晶パネル５に表示された映像を、透明な部材を介して、あるいは、何もない空間を介して視認していると感じられる配置密度の上限以下となることが好ましい。そこで、例えば、配置密度が30.0％以下となるようにプリズム３５〜３８は形成されることが好ましい。
【００２５】
あるいは、導光板３について、全透過光に対する拡散光の割合を表すヘイズ値が、液晶パネル２が透明状態となったときに、観察者が、導光板３の背後にある第２の液晶パネル５に表示された映像を、透明な部材を介して、あるいは、何もない空間を介して視認していると感じられるヘイズ値の上限以下となることが好ましい。例えば、ヘイズ値が28％以下となるようにプリズム３５〜３８は形成されることが好ましい。
【００２６】
光源４−１〜４−４は、それぞれ、例えば、白色発光ダイオードまたは蛍光灯といった発光素子を有し、その発光面が導光板３の入射面３ａと対向するように配置される。例えば、光源４−１〜４−４は、その発光強度が最も強い方向が入射面３ａに対して直交するように配置される。
【００２７】
本実施形態では、光源４−１は、部分領域３１と対応するように、正面から見て導光板３の左側の入射面と対向するように、導光板３の上半分側に配置される。また、光源４−２は、部分領域３２と対応するように、正面から見て導光板３の下側の入射面と対向するように、導光板３の左半分側に配置される。同様に、光源４−３は、部分領域３３と対応するように、正面から見て導光板３の上側の入射面と対向するように、導光板３の右半分側に配置される。そして光源４−４は、部分領域３４と対応するように、正面から見て導光板３の右側の入射面と対向するように、導光板３の下半分側に配置される。
なお、光源４−１〜４−４は、それぞれ、複数の発光素子を有してもよい。この場合、各光源が有する複数の光源は、それぞれ、その光源と対向する入射面３ａの長手方向に沿って、その光源に対応する部分領域の幅全体にわたって一列に配置される。そして光源４−１〜４−４は、制御部６からの制御信号に応じて点灯または消灯する。
【００２８】
第２の液晶パネル５は、第２の表示パネルの一例であり、導光板３の背面側に、導光板３の拡散面３ｂと表示面とが対向するように配置される。そして第２の液晶パネル５は、制御部６からの映像信号に応じた映像を表示する。なお、第２の液晶パネル５は、制御部６からの映像信号に応じた映像を表示可能な様々なバックライト型液晶パネルの何れかとすることができる。
【００２９】
制御部６は、例えば、プロセッサと、メモリ回路と、第１の液晶パネル２の駆動回路と、第２の液晶パネル５の駆動回路とを有する。そして制御部６は、上位の制御装置（図示せず）からの制御信号に応じて、第１の液晶パネル２及び第２の液晶パネル５に対する映像の表示の有無、及び、表示する映像を制御する。また、制御部６は、光源４−１〜４−４の点灯／消灯の切替、あるいは、光源４−１〜４−４を点灯させる際の発光光量を調節する。例えば、制御部６は、光源４−１〜４−４の発光光量を、パルス幅変調方式に従って調節する。
制御部６は、第１の液晶パネル２に表示させる映像、第２の液晶パネル５に表示させる映像、光源４−１〜４−４の点灯／消灯を制御することで、映像が重畳されて表示される領域と第１の液晶パネル２に表示される映像が強調される領域とを様々に切り替えることができる。
【００３０】
図４（ａ）及び図４（ｂ）は、それぞれ、第１の液晶パネル２及び第２の液晶パネル５に表示される映像と光源４−１〜４−４の点灯／消灯の組み合わせと観察者が視認できる表示内容との関係の一例を示す図である。
【００３１】
図４（ａ）に示される例では、光源４−１〜４−４のうち、光源４−１のみが点灯されている。
この場合には、光源４−１からの光によって第１の液晶パネル２の表示領域のうち、左上の部分領域のみが照明されているので、観察者は、その左上の部分領域について第１の液晶パネル２に表示された映像４０１を視認できる。一方、第１の液晶パネル２の表示領域中のその他の領域については、照明されないので、その表示領域に表示された映像と、第２の液晶パネル５に表示された映像４０２とが重なって見える。この場合において、第２の液晶パネル５に表示された映像の見易さは、第１の液晶パネル２に表示される映像に応じた透過率によって見易さが変化する。すなわち、第１の液晶パネル２の透過率が高くなるほど、第２の液晶パネル５に表示された映像は視認し易くなる。例えば、第１の液晶パネル２の表示領域のうちの照明されていない領域に表示される映像が黒色に近い映像であるほど、観察者は、その領域を通して、第２の液晶パネル５に表示された映像を容易に視認できる。したがって、制御部６が、第１の液晶パネル２の表示領域のうちの照明されていない領域に表示される映像を、一様な黒色とすれば、表示装置１は、その照明されていない領域における第２の液晶パネル５の映像と、第１の液晶パネル２の表示領域のうちの照明された部分領域における第１の液晶パネル２の映像とをくみあわせたものが表示されているように見せることができる。
【００３２】
図４（ｂ）に示される例では、光源４−１〜４−４の全てが点灯されている。そのため、観察者は、第１の液晶パネル２の表示領域全体において、映像４０３を視認できる。一方、第２の液晶パネル５に表示された映像４０４は、各光源からの光と、映像４０３によって視認し難くなる。
【００３３】
以上に説明してきたように、この表示装置は、発光させる光源を切り替えることで、正面側に配置された液晶パネルに表示された映像のみが見易くなる領域と、二つの液晶パネルのそれぞれに表示された映像が重なって見える領域を切り替えることができる。そのため、この表示装置は、多様な表示が可能となり、演出効果を高めることができる。
【００３４】
なお、変形例によれば、導光板３の部分領域は互いに重なっていてもよい。
【００３５】
図５は、この変形例による導光板と各光源の配置を示す、導光板の概略正面図である。この変形例では、導光板３００には、二つの部分領域３１１、３１２が設定されている。そして導光板３００の一つの側壁に形成される入射面３００ａと対向するように、二つの光源４０８、４０９が入射面３００ａの長手方向に沿って並べて配置されている。光源４０８は、部分領域３１１と対応し、一方、光源４０９は、部分領域３１２と対応する。
【００３６】
複数のプリズム３２１が、導光板３０１の背面側に形成される拡散面のうち、部分領域３１１内に所定のピッチで千鳥足状に配置されている。各プリズム３２１は、光源４０８から発して入射面３００ａから導光板３００内へ入射した光により、第１の液晶パネル２の表示領域のうち、正面側から見て部分領域３１１と重なる領域を照明する。そのために、各プリズム３２１は、その反射面が光源４０８に対して正対するように配置される。すなわち、図５内に示される部分拡大図５０１及び部分拡大図５０２に示されるように、光源４０８からの光の放射方向を表す直線５１１、５１２に対して、各プリズム３２１の反射面３２１ａは、拡散面に平行な面において直交している。
【００３７】
同様に、複数のプリズム３２２が、導光板３００の拡散面のうち、部分領域３１２内に所定のピッチで千鳥足状に配置されている。各プリズム３２２は、光源４０９から発して入射面３００ａから導光板３００内へ入射した光により、第１の液晶パネル２の表示領域のうち、正面側から見て部分領域３１２と重なる領域を照明する。そのために、各プリズム３２２は、その反射面が光源４０９に対して正対するように配置される。また、図５内に示される部分拡大図５０３に示されるように、部分領域３１１と部分領域３１２とが重なる領域内では、プリズム３２１とプリズム３２２とが交互になるように配置される。
【００３８】
また他の変形例によれば、第１の液晶パネル２の表示領域のうち、導光板を介した光源からの光により照明される範囲が連続的に変化するように、複数の部分領域が設定されてもよい。
【００３９】
図６は、この変形例による導光板と各光源の配置を示す、導光板の概略正面図である。この変形例では、複数の光源４１０−１〜４１０−ｎ（ただし、ｎは２以上の整数）が、導光板３０１の上端側の側壁に形成される入射面３０１ａに沿って一列に並べて配置される。また、複数の光源４１１−１〜４１１−ｎが、導光板３０１の下端側の側壁に形成される入射面３０１ｂに沿って一列に並べて配置される。そして、導光板３０１には、複数の部分領域３３０−１〜３３０−ｎが水平方向に沿って並べて設定される。部分領域３３０−１〜３３０−ｎのそれぞれは、その上下に位置する光源に対応する。すなわち、部分領域３３０−ｍ（ただし、１≦ｍ≦ｎ）は、光源４１０−ｍと光源４１１−ｍに対応する。そして、上記の実施形態または変形例と同様に、部分領域３３０−１〜３３０−ｎのそれぞれについて、導光板３０１の背面側に形成される拡散面に、その部分領域に対応する光源側へ向けられた反射面を有する複数のプリズム（図示せず）が、所定のピッチで格子状または千鳥足状に配置されている。
【００４０】
この変形例では、制御部は、例えば、ある時刻t1において、連続する複数の部分領域に対応する、光源４１０−１〜４１０−ｎ及び光源４１１−１〜４１１−ｎのうち、連続する複数の部分領域に対応する光源を点灯させ、他の光源を消灯する。そして時刻t2において、制御部は、点灯している光源のうち、左右何れか一方の端から所定個の光源を消灯し、他方の端に連続する所定個の光源を新たに点灯させる。制御部が同様の制御を繰り返すことで、観察者に対して、第１の液晶パネル２が照明される範囲が連続的に移動しているように見せることができる。
【００４１】
図７（ａ）〜図７（ｄ）は、この変形例による、点灯される光源と、第１の液晶パネル２が照明される範囲の関係を示す図である。図７（ａ）では、左端側の五つの光源４１０−１〜４１０−５及び４１１−１〜４１１−５が点灯しており、その他の光源は消灯している。そのため、光源４１０−１〜４１０−５及び４１１−１〜４１１−５に対応する五つの部分領域（３３０−１〜３３０−５）を含む範囲７０１が照明される。
【００４２】
図７（ｂ）では、左端の光源４１０−１及び４１１−１が消灯され、その代わりに、図７（ａ）に示される状態で点灯していた最も右側の光源４１０−５及び４１１−５に隣接する光源４１０−６及び４１１−６が点灯されている。そのため、照明される範囲７０２も、範囲７０１と比較して部分領域一つ分だけ右側へ移動している。
【００４３】
さらに、図７（ｃ）では、図７（ｂ）に示される状態で点灯していた最も左側の光源４１０−２及び４１１−２が消灯され、その代わりに、光源４１０−７及び４１１−７が点灯されている。そのため、照明される範囲７０３も、範囲７０２と比較して部分領域一つ分だけ右側へ移動している。
【００４４】
同様に、図７（ｄ）では、図７（ｃ）に示される状態で点灯していた最も左側の光源４１０−３及び４１１−３が消灯され、その代わりに、光源４１０−８及び４１１−８が点灯されている。そのため、照明される範囲７０４も、範囲７０３と比較して部分領域一つ分だけ右側へ移動している。
【００４５】
さらに、制御部は、第１の液晶パネル２に印加する電圧の制御により、各光源及び導光板３０１により照明される範囲よりも広い範囲を不透明としてもよい。例えば、図７（ａ）〜図７（ｄ）では、それぞれ、範囲７１１〜範囲７１４が不透明な範囲に設定される。これにより、各光源及び導光板３０１により照明される範囲が移動する際の不自然さが軽減される。
【００４６】
さらに他の変形例によれば、表示装置は、第２の液晶パネルの代わりに、他のディスプレイ、例えば、有機ＥＬディスプレイを有してもよい。あるいは、第２の液晶パネルの代わりに、立体映像を投影できる立体映像投影装置を有してもよい。表示装置は、そのような立体映像投影装置として、例えば、レンチキュラー方式を利用するもの、インテグラルフォトグラフィ―方式によるもの、あるいは、ホログラム方式によるものを用いることができる。この場合、立体映像装置は、例えば、導光板及び第１の液晶パネルを通して、第１の液晶パネルよりも観察者側に立体映像を投影することが好ましい。これにより、表示装置は、立体映像の投影により、臨場感を向上させて、演出効果をより高めることができる。
【００４７】
上記の実施形態または変形例による表示装置は、弾球遊技機または回胴遊技機といった遊技機に搭載されてもよい。
図８は、上記の実施形態または変形例による表示装置を有する弾球遊技機を遊技者（観察者）側から見た、その弾球遊技機の概略斜視図である。備えた弾球遊技機１００の概略斜視図である。図８に示すように、弾球遊技機１００は、上部から中央部の大部分の領域に設けられ、遊技機本体である遊技盤１０１と、遊技盤１０１の下方に配設された球受け部１０２と、ハンドルを備えた操作部１０３と、遊技盤１０１の略中央に設けられた表示装置１０４とを有する。
【００４８】
また弾球遊技機１００は、遊技の演出のために、遊技盤１０１の前面において遊技盤１０１の下方に配置された固定役物部１０５と、遊技盤１０１と固定役物部１０５との間に配置された可動役物部１０６とを有する。また遊技盤１０１の側方にはレール１０７が配設されている。また遊技盤１０１上には多数の障害釘（図示せず）及び少なくとも一つの入賞装置１０８が設けられている。
【００４９】
操作部１０３は、遊技者の操作によるハンドルの回動量に応じて図示しない発射装置より所定の力で遊技球を発射する。発射された遊技球は、レール１０７に沿って上方へ移動し、多数の障害釘の間を落下する。そして遊技球が何れかの入賞装置１０８に入ったことを、図示しないセンサにより検知すると、遊技盤１０１の背面に設けられた主制御回路（図示せず）は、遊技球が入った入賞装置１０８に応じた所定個の遊技球を玉払い出し装置（図示せず）を介して球受け部１０２へ払い出す。さらに主制御回路は、遊技盤１０１の背面に設けられた演出用CPU（図示せず）を介して表示装置１０４を駆動する。
【００５０】
表示装置１０４は、上記の実施形態または変形例による表示装置の一例であり、第１の液晶パネルの正面側が遊技者へ向くように遊技盤１０１に取り付けられる。そして表示装置１０４の制御部は、遊技の状態に応じた、演出用CPUからの制御信号に応じて、表示装置１０４に様々な映像などを表示させる。
【００５１】
このように、当業者は、本発明の範囲内で、実施される形態に合わせて様々な変更を行うことができる。
【符号の説明】
【００５２】
１    表示装置
２    第１の液晶パネル
３    導光板
３ａ    入射面
３ｂ    拡散面
３ｃ    出射面
３１〜３４    部分領域
３５〜３８    プリズム
４−１〜４−４    光源
５    第２の液晶パネル
６    制御部
３００，３０１    導光板
４０８、４０９、４１０−１〜４１０−ｎ、４１１−１〜４１１−ｎ    光源
３２１、３２２    プリズム
１００    弾球遊技機
１０１    遊技盤
１０２    球受け部
１０３    操作部
１０４    表示装置
１０５    固定役物部
１０６    可動役物部
１０７    レール
１０８    入賞装置
【図１】
0006515652.tif 000002
【図２】
0006515652.tif 000003
【図３】
0006515652.tif 000004
【図４】
0006515652.tif 000005
【図５】
0006515652.tif 000006
【図６】
0006515652.tif 000007
【図７】
0006515652.tif 000008
【図８】
0006515652.tif 000009